(57)【要約】      （修正有）【課題】一枚のシートからなり、該シートに直接的に凹凸を形成することで、掌や足裏を平面から立体的に突出する造形として表現した、軽量で、作製が容易な、新たな立体手形・足形構成体を提供する。【解決手段】全体を１枚の熱可塑性樹脂シート１０で構成し、該シート１０に直接的に凹凸を形成することで、手形若しくは足形を熱可塑性樹脂シート１０の平坦面から立体的に突出する造形部１１として表現し、熱可塑性樹脂シート１０の造形部１１を除く部分を、平坦な基板部１２として形成している。【選択図】図１
0003214584.tif 000002
【実用新案登録請求の範囲】
【請求項１】
全体を１枚の熱可塑性樹脂シートで構成し、該シートに直接的に凹凸を形成することで、手形若しくは足形を熱可塑性樹脂シートの平坦面から立体的に突出する造形部として表現し、熱可塑性樹脂シートの前記造形部を除く部分を、平坦な基板部として形成していることを特徴とする立体手形・足形構成体。
【請求項２】
熱可塑性樹脂シートは、樹脂の表面に金色が施されたシートからなり、造形部及び基板部を含む上面全体を金色で表現していることを特徴とする請求項１に記載の立体手形・足形構成体。
【請求項３】
造型部においては、指紋、皺線について、指紋は消失させ、凹凸の大きい皺線だけが現出するように造形してあることを特徴とする請求項１又は２に記載の立体手形・足形構成体。
【請求項４】
当て板を裏打ちして、サイン用の色紙に構成してあることを特徴とする請求項１〜３の何れかに記載の立体手形・足形構成体。
【請求項５】
基板部の周縁に、造形部が突出する方向とは反対方向に垂下する周壁からなる垂下周壁を形成していることを特徴とする請求項１〜４の何れかに記載の立体手形・足形構成体。
【請求項６】
基板部をその垂下周壁により底付の枠体内に収めて、額若しくは記念盾に構成してあることを特徴とする請求項１〜５の何れかに記載の立体手形・足形構成体。
【請求項７】
底付の枠体の底紙に記念盾用の支持脚を折製するための折曲用切込線を形成していることを特徴とする請求項６に記載の立体手形・足形構成体。
【考案の詳細な説明】
【技術分野】
【０００１】
本考案は立体手形・足形構成体に関する。
【背景技術】
【０００２】
人の掌を色紙に押当てて手形をとり、額や盾等として飾ることが古くから行われている。また足の裏を足形として、色紙やその他の物に写し取って飾ることも古くから行われている。
一般的な手形や足形は、朱色か墨により、掌の全体を皺線、指紋と共に色紙に写し取るようにした平面的な手形や足形が多い。
一方、手形や足形を立体的に作製することも行われている。
【先行技術文献】
【特許文献】
【０００３】
【特許文献１】特開平１０−３５１９８号公報
【特許文献２】実用新案登録第３０６３０４５号公報
【特許文献３】特開２００４−２８７３５８号公報
【特許文献４】特開２００５−１２７３号公報
【特許文献５】特開２０１２−２０１５６３号公報
【特許文献６】実用新案登録第３２０６０７６号公報
【考案の概要】
【考案が解決しようとする課題】
【０００４】
上記特許文献１に開示の考案は実寸大形状の手形足形製造方法に関し、陶磁器板製の白色のバックに、肌色の手形を形成する方法が開示されている。この方法では、手形の輪郭を明瞭に再演することができる。しかし手形としては平面的であり、立体感のある表現はできない。
上記特許文献２に開示の考案は陶磁器製手形に関し、生地に手を押し付けて手形を採取し、この生地を焼成して陶磁器製の手形としている。しかし得られた手形が凹形で表現される。従って実際の手に近い表現とは言えない。
上記特許文献３に開示の考案は手形或いは足形の製造方法に関し、オーブン粘土に、手や足を押し付けて手形、足形を採取し、焼成して雌型とし、この雌型に更に特殊なオーブン粘土を充填して、脱型、乾燥させ、実物と同様な凸形の手形・足形を得る方法が開示されている。しかし得られる手形・足形が粘土製で重たく、また使用材料が高価である。
上記特許文献４に開示する考案は手形・足形の記録体に関し、金属の表面に手形や足形を凹形状に表現している。が、手形・足形が凹形状で表現されている実際の手に近い表現とは言えない。使用材料が重い。
上記特許文献５に開示する考案は、陶磁器製手形に関し、掌等を立体的に隆起させて表現したものが開示されている。しかし陶磁器製であるので重たい。
上記特許文献６に開示する考案は立体手形プレートに関し、平板部（台紙、下敷き）から掌の立体成形部が突出するようにして構成されたものが開示されている。しかし平板部と立体成形部とは別々のパーツとして形成されており、これを後から組み立てたものである。
【０００５】
そこで本考案は上記従来技術の問題を解消し、一枚のシートからなり、該シートに直接的に凹凸を形成することで、掌や足裏を平面から立体的に突出する造形として表現した、軽量で、作製が容易な、新たな立体手形・足形構成体の提供を課題とする。
【課題を解決するための手段】
【０００６】
本考案の立体手形・足形構成体は、全体を１枚の熱可塑性樹脂シートで構成し、該シートに直接的に凹凸を形成することで、手形若しくは足形を熱可塑性樹脂シートの平坦面から立体的に突出する造形部として表現し、熱可塑性樹脂シートの前記造形部を除く部分を、平坦な基板部として形成していることを第１の特徴としている。
また本考案の立体手形・足形構成体は、上記第１の特徴に加えて、熱可塑性樹脂シートは、樹脂の表面に金色が施されたシートからなり、造形部及び基板部を含む上面全体を金色で表現していることを第２の特徴としている。
また本考案の立体手形・足形構成体は、上記第１又は第２の特徴に加えて、造型部においては、指紋、皺線について、指紋は消失させ、凹凸の大きい皺線だけが現出するように造形してあることを第３の特徴としている。
また本考案の立体手形・足形構成体は、上記第１〜第３の何れかの特徴に加えて、当て板を裏打ちして、サイン用の色紙に構成してあることを第４の特徴としている。
また本考案の立体手形・足形構成体は、上記第１〜第４の何れかの特徴に加えて、基板部の周縁に、造形部が突出する方向とは反対方向に垂下する周壁からなる垂下周壁を形成していることを第５の特徴としている。
また本考案の立体手形・足形構成体は、上記第１〜第５の何れかの特徴に加えて、基板部をその垂下周壁により底付の枠体内に収めて、額若しくは記念盾に構成してあることを第６の特徴としている。
また本考案の立体手形・足形構成体は、上記第６の特徴に加えて、底付の枠体の底紙に記念盾用の支持脚を折製するための折曲用切込線を形成していることを第７の特徴としている。
【考案の効果】
【０００７】
請求項１に記載の立体手形・足形構成体によれば、全体が１枚の熱可塑性樹脂シートで構成される。よって構成体全体を非常に軽く仕上げることができる。そして手形若しくは足形を表現した造形部は、熱可塑性樹脂シートに直接的に形成された凹凸により、立体的に突出した状態に構成される。よって造形部は凸形に立体表現され、凹形と違って立体感、実物感が大きい。且つ凸形の造形部の裏側は凹形に凹んでおり、中実ではないので、重量が軽く、扱いが容易である。また造形部を除く部分は平坦な基板部となっているので、造形部が平坦部からくっきりと浮き上がった鮮明な手形・足型として表現される。
【０００８】
請求項２に記載の立体手形・足形構成体によれば、上記請求項１に記載の作用効果に加えて、樹脂の表面に金色が施されたシートによって、造形部及び基板部を含む上面全体が金色で表現されているので、豪華さ、煌びやかさが演出され、立体手形・足形構成体の見た目の価値を上げることができる。
【０００９】
請求項３に記載の立体手形・足形構成体によれば、上記請求項１又は２に記載の作用効果に加えて、造形部においては、指紋は消失させているので、その手形・足形のモデルとなった者の指紋等が盗用されることを確実に防ぐことができる。その一方、凹凸の大きい掌や足裏の皺線は現出するようにしているので、モデルへの親近感等を感じ取ることができる。
【００１０】
請求項４に記載の立体手形・足形構成体によれば、上記請求項１〜３の何れかに記載の作用効果に加えて、当て板を裏打ちして、サイン用の色紙に構成してあるので、ファン等は当て板で補強された構成体をサイン用色紙としても差し出すことができ、立体手形・足形の入った色紙に、併せてサインをしてもらうことができる。
【００１１】
請求項５に記載の立体手形・足形構成体によれば、上記請求項１〜４の何れかに記載の構成による作用効果に加えて、基板部の周縁に、造形部が突出する方向とは反対方向に垂下する周壁からなる垂下周壁を形成しているので、該垂下周壁が構成体の厚みのように作用し、使用する熱可塑性樹脂シートが薄いシートであっても、重厚感のある立体手形・足形構成体の雰囲気を醸し出すことができる。
【００１２】
請求項６に記載の立体手形・足形構成体によれば、上記請求項１〜５の何れかに記載の構成による作用効果に加えて、基板部をその垂下周壁により底付の枠体内に収めることにより、立体手形・足形構成体が額縁に収められた額として鑑賞することができる。また立体手形・足形構成体が額縁に収められた記念盾として鑑賞することができきる。勿論、前記底付の枠体は、これに蓋体を組み合わせることで、収納箱として機能し、収納箱に収納された状態の立体手形・足形構成体として扱うことができる。
【００１３】
請求項７に記載の立体手形・足形構成体によれば、上記請求項６に記載の構成による作用効果に加えて、底付の枠体の底紙に記念盾用の支持脚を折製するための折曲用切込線を形成しているので、立体手形・足形構成体を枠体内に収めて、記念盾として用いる場合には、前記枠体の底紙に形成された折曲用切込線に従って、折製することで、容易に支持脚を作製して、供することができる。
【図面の簡単な説明】
【００１４】
【図１】本考案の実施形態である立体手形・足形構成体の表側を示す全体斜視図である
【図２】本考案の実施形態である立体手形・足形構成体の裏側を示す全体斜視図である。
【図３】本考案の実施形態である立体手形・足形構成体を枠体に収めた状態を示す全体斜視図である。
【図４】本考案の枠体の底紙を裏側から見た図である。
【図５】本考案の実施形態である立体手形・足形構成体の作製方向を説明する図である。
【考案を実施するための形態】
【００１５】
以下の図面を参照して、本考案の立体手形・足形構成体を説明し、本考案の理解に供する。しかし、以下の説明は本考案の実用新案登録請求の範囲に記載の考案を限定するものではない。
【００１６】
図１〜図２を参照して、立体手形・足形構成体（以下、手形構成体と称する）１は１枚の熱可塑性樹脂シート１０で構成されている。この１枚の熱可塑性樹脂シート１０に直接的に凹凸を形成することで、造形部１１を表現している。そして前記造形部１１を除く部分を基板部１２としている。更に前記基板部１２の周縁に垂下周壁１３を形成している。
【００１７】
前記熱可塑性樹脂シート１０は、表面に金色が施されている。この金色のシート１０は、例えば金色を呈する素材を樹脂表面に蒸着させたものを用いることができる。
熱可塑性樹脂シート１０の素材は、例えばポリスチレンとすることができる。勿論、他の熱可塑性樹脂シートを用いても可能である。
熱可塑性樹脂シート１０の厚みは、軽量を考慮して、１ｍｍ以下の厚み、例えば０．０１〜０．５ｍｍ厚とすることができる。
【００１８】
前記手形構成体１の造形部１１は、本実施形態では手形として造形されている。モデルとなるのは、有名人、近親者、その他の人、動物が対象となる。手形は掌が表現されている。掌の厚みの半分乃至過半が、表面Ａから浮き上がった凸状態に形成されている。一方、造形部１１の背面Ｂは、表面Ａ側とは凹凸が反対に、凹状態に形成されている。即ち、１枚の熱可塑性樹脂シート１０の表裏に、直接的に凹凸を形成することで、造形部１１が立体形成されている。
造形部１１には、手相線である皺線１１ａや、指の関節線である皺線１１ａが表現されている。一方、指先には、指紋１１ｂは表現することなく、消失させている。即ち、手形の製作過程で、モデルの実際の手から写し取った皺線１１ａや指紋１１ｂのうち、指紋１１ｂを消している。
勿論、造形部１１には、モデルから写し取られた掌の各部の凹凸が表現されている。
【００１９】
前記手形構成体１の基板部１２は、造形部１１を除く周囲に平坦に構成されている。この基板部１２の平坦面から造形部１１が立ち上がることで、造形部１１がよりくっきりと立体的に見える。
基板部１２には、モデルの名前等、造形部１１と共に記録しておくべき事柄を造形する部分スペース１２ａを形成することができる。またサインをもらうためのサインスペース１２ｂを設けることができる。
基板部１２の平面形状は、箱や枠に入れることを考慮して、四角形、長方形、円形等とするのが好ましい。本実施形態では略縦長の長方形としている。
なお、手形構成体１をサイン用の色紙として用いる場合は、基板部１２の背面に硬紙等の当て板を貼って、裏打ち補強することができる。
【００２０】
前記垂下周壁１３は、基板部１２の周縁に、前記造形部１１が突出する方向とは反対方向、即ち背面方向に垂下する囲繞壁として形成している。
垂下周壁１３は、基板部１２に見かけの厚みを持たせる。これにより薄い熱可塑性樹脂シート１０であっても、重厚感のある立体手形・足形構成体の雰囲気を醸し出すことができる。
垂下周壁１３の存在は、手形構成体１を箱や枠に入れる際に、該垂下周壁１３が箱や枠の内壁に沿う形で配置され、収納がし易い。また収納した状態で構成体１を安定させることができる。
ただし、垂下周壁１３を形成する場合は、構成の４隅は角をとって丸くし、垂下周壁１３の形成を容易にしている。
【００２１】
図３を参照して、手形構成体１はその基板部１２の垂下周壁１３により、底付の枠体２０内に収めて、額や記念盾（楯）として構成することができる。
枠体２０は、枠部２１と底部２２とからなり、枠部２１内に沿って、基板部１２の垂下周壁１３が丁度入る大きさとする。
枠体２０は底部２２を有することで、箱としても使用することができるようになっている。そして図示しない蓋と一組で使用させることで、包装箱として兼用することができる。
【００２２】
図４を参照して、前記手形構成体１を記念盾とする場合には、前記枠体２０の底部２２を構成する底紙に、記念盾を立て掛けるための支持脚を折製するための折曲用切込線２２ａを予め形成しておくことができる。
【００２３】
図５を参照して、本実施形態にかかる手形構成体１の作製方法を簡単に説明する。
先ず、粘土等の雌型用材料を用意し、モデルに掌を軟質状態の前記雌型用材料に押しつけてもらい、掌の形を所定の厚みを持って写し取る。これによって掌の雌型を作成する。
次に得られた雌型に、金属等の雄型材料を流し込んで固め、掌の雄型３０を作製する。この雄型３０は、手の甲側を除き、モデルの掌をその掌の厚みの半分乃至過半の厚みをもって、立体的に再現したものと言える。手の甲側は、雄型３０に平坦面として構成されることになる。
次に前記得られた雄型３０を、その平坦な手の甲側を下にして、基台４０上に載置し、固定する（図５）。基台４０は、前記手形構成体１の基板部１２を形成するためのもので、その平面形状は基板部１２の平面外形と同じ形としている。また基台４０の厚みのある側周は、基板部１２の垂下周壁１３を形成するためのものである。
図５に示すように、雄型３０を基台４０の上面に固定配置したもの全体を、手形構成体１を形成するための成形型５０とし、この成形型５０に対して、該成形型５０よりも平面寸法が少し大きい１枚の熱可塑性樹脂シート１０を用い、この熱可塑性樹脂シート１０を成形型５０の上面に対して上方から当てがった状態で熱と圧力を加える。これにより、前記熱可塑性樹脂シート１０は、軟化して成形型５０の上面に密着し、上面形状通りの形が造形部１１として凹凸形成される。また平坦な基台４０の上面が基板部１２となる。そして熱可塑性樹脂シート１０の周辺は成形型５０の基台４０の上面から側周に折れ曲がって、垂下周壁１３となる。
勿論、成形型５０の作製方法そのものについては、その方法が上記した方法に限定されるものではない。また前記１枚の熱可塑性樹脂シート１０を、成形型５０の上面乃至側周形状通りに熱成形する際の具体的な方法については、その方法が上記した方法に限定されるものではない。
【００２４】
手形構成体１の造形部１１においては、指紋１１ｂを消失させ、凹凸の大きい皺線１１ａだけが現出するように造形している。しかし指紋１１ｂを消失させる方法としては、モデルの掌を転写して雌型を作成する際に、転写の精度を下げることで行うことができる。また掌を転写した雌型から雄型３０を作製する際に、転写精度を下げることで行うことができる。
更にまた、成形型５０の雄型３０から凹凸形状を写し取る際に、熱可塑性樹脂シート１０の厚みを厚く調整することで、雄型３０からの写し取り精度を下げることで行うことができる。この場合、熱可塑性樹脂シート１０は、その背面Ｂ側で成形型５０の雄型３０の凹凸を転写しており、シート１０の表面Ａ側に形成される造形部１１の凹凸は、前記雄型３０の凹凸そのものを転写したものではない。よって造形部１１に現れる凹凸は、鮮明さ、精度が適当に劣ることになって、指紋１１ｂが消失するのに都合がよい。
【産業上の利用可能性】
【００２５】
本考案の立体手形・足形構成体は、手形・足形を写し取って成形するプラスチック加工産業において、また得られた手形・足形を記念品や盾として販売する産業において、産業上の利用可能性が大きい。
【符号の説明】
【００２６】
１          立体手形・足形構成体
１０        熱可塑性樹脂シート
１１        造形部
１１ａ      皺線
１１ｂ      指紋
１２        基板部
１２ａ      部分スペース
１２ｂ      サインスペース
１３        垂下周壁
２０        枠体
２１        枠部
２２        底部
２２ａ      折曲用切込線
３０        雄型
４０        基台
５０        成形型
Ａ          表面
Ｂ          背面
【図１】
0003214584.tif 000003
【図２】
0003214584.tif 000004
【図３】
0003214584.tif 000005
【図４】
0003214584.tif 000006
【図５】
0003214584.tif 000007